(57)【特許請求の範囲】
【請求項１】
内容物の注出経路を形成する注出筒を有し、下向きに開放された環状溝を打栓によって容器の口頚部先端に嵌合させて固定保持するベースキャップと、このベースキャップにヒンジを介して開閉可能に連結し閉姿勢を保持することによって前記ベースキャップの注出経路を封止する蓋体とを備えた注出栓であって、
前記ベースキャップが、前記容器の口頚部に直接アンダーカット嵌合する筒状のキャップ本体と、このキャップ本体の上縁部に弱化部を介して切り離し可能に一体連結し打栓時の押し込みに際して該弱化部が切断され、かつ、前記口頚部の基端へ向けたスライドにて前記キャップ本体の外側面に嵌合する環状体からなり、
前記環状体は、その内側面の上部又は下部に、前記キャップ本体の外側面に形成された凹又は凸に適合する凸又は凹を有することを特徴とする注出栓。
【請求項２】
前記キャップ本体は、少なくとも下側半分において前記口頚部の軸心に沿って伸延し下端部が開放された複数本のスリットを有する、請求項１記載の注出栓。
【請求項３】
内容物の注出経路を形成する注出筒を有し、下向きに開放された環状溝を設けたベースキャップと、このベースキャップにヒンジを介して開閉可能に連結し前記ベースキャップの注出経路を封止する蓋体とを備えた注出栓を容器の口頚部に打栓、装着するに当たり、
前記ベースキャップを、前記環状溝を形成した筒状のキャップ本体と、このキャップ本体の上縁部に弱化部を介して一体連結する環状体とからなり、
前記環状体は、その内側面の上部又は下部に、前記キャップ本体の外側面に形成された凹又は凸に適合する凸又は凹を有するものとして、
前記蓋体を閉姿勢に保持するとともに前記キャップ本体の環状溝を容器の口頚部先端に位置せしめ、次いで、前記口頚部の基端に向けた押圧力を付与して前記環状溝を前記容器の口頚部先端に嵌合させると同時に前記環状体を前記キャップ本体と同じ向きに押し込んで前記環状体を前記キャップ本体の外側壁に嵌合させることを特徴とする注出栓の打栓、装着方法。
【発明の詳細な説明】
【技術分野】
【０００１】
本発明は、容器を傾けることによって内容物を注出する容器の口頚部に装着して好適な注出栓及びその注出栓の打栓、装着方法に関するものであり、該注出栓の確実な固定、簡単な取り外しを実現しようとするものである。
【背景技術】
【０００２】
醤油やドレッシング等の調味材を入れる容器は、その口部に、プルリングの引き起こしにより閉塞壁部を引きちぎって開封するバージンタイプの注出栓が装着されており、容器内の内容物を使い切るまでの間はねじ込み式のキャップやアンダーカットタイプのキャップを注出栓に適合させて容器を密封状態に保持するようになっている（例えば、特許文献１参照）。
【０００３】
かかる注出栓は、普通、注出栓の下端には環状溝が設けられており、その取り付けは、押し込み力の付与を伴う打栓によって該環状溝を容器の口頚部先端に嵌合させて注出栓を固定していたが打栓時においては嵌合周壁の変形を伴うのが避けられないことから、口頚部の外側壁と注出栓の内側壁との間に隙間が形成されるような場合においてはシール性が低下する一方、注出栓が容器の口頚部に強固に嵌合した状態にあっては、容器の廃棄に際して該注出栓の取り外しが容易でなく、分別回収を行うのも難しい状況にあった。
【先行技術文献】
【特許文献】
【０００４】
【特許文献１】実用新案登録第２５４８５０６号明細書
【発明の概要】
【発明が解決しようとする課題】
【０００５】
本発明の課題は、容器の口頚部への確実な固定と、廃棄時における比較的容易な取り外しを行うことができる注出栓およびその注出栓の打栓、装着方法を提案するところにある。
【課題を解決するための手段】
【０００６】
本発明は、内容物の注出経路を形成する注出筒を有し、下向きに開放された環状溝を打栓によって容器の口頚部先端に嵌合させて固定保持するベースキャップと、このベースキャップにヒンジを介して開閉可能に連結し閉姿勢を保持することによって前記ベースキャップの注出経路を封止する蓋体とを備えた注出栓であって、
前記ベースキャップが、前記容器の口頚部に直接アンダーカット嵌合する筒状のキャップ本体と、このキャップ本体の上縁部に弱化部を介して切り離し可能に一体連結し打栓時の押し込みに際して該弱化部が切断され、かつ、前記口頚部の基端へ向けたスライドにて前記キャップ本体の外側面に嵌合する環状体からなり、
前記環状体は、その内側面の上部又は下部に、前記キャップ本体の外側面に形成された凹又は凸に適合する凸又は凹を有することを特徴とする注出栓である。
【０００７】
上記の構成になる注出栓においては、前記キャップ本体には、少なくとも下側半分において前記口頚部の軸心に沿って伸延し下端部が開放された複数本のスリットを設けることが望ましい。
【０００８】
さらに、本発明は、内容物の注出経路を形成する注出筒を有し、下向きに開放された環状溝を設けたベースキャップと、このベースキャップにヒンジを介して開閉可能に連結し前記ベースキャップの注出経路を封止する蓋体とを備えた注出栓を容器の口頚部に打栓、装着するに当たり、
前記ベースキャップを、前記環状溝を形成した筒状のキャップ本体と、このキャップ本体の上縁部に弱化部を介して一体連結する環状体とからなり、
前記環状体は、その内側面の上部又は下部に、前記キャップ本体の外側面に形成された凹又は凸に適合する凸又は凹を有するものとして、
前記蓋体を閉塞姿勢に保持するとともに前記キャップ本体の環状溝を容器の口頚部先端に位置せしめ、次いで、前記口頚部の基端に向けた押圧力を付与して前記環状溝を前記容器の口頚部先端に嵌合させると同時に前記環状体を前記キャップ本体と同じ向きに押し込んで前記環状体を前記キャップ本体の外側壁に嵌合させることを特徴とする注出栓の打栓、装着方法である。
【発明の効果】
【０００９】
ベースキャップをキャップ本体と、このキャップ本体の外側に位置する環状体にて構成し、該キャップ本体を容器の口頚部に嵌合させると同時に該環状体をキャップ本体の外側に位置せしめるようにしたので、注出栓を簡便、かつ確実に取り付けることが可能であり、該環状体がキャップ本体の外側に位置した状態では該環状体が箍として機能するためキャップ本体が容器の口頚部から簡単に外れることがない。
【００１０】
容器の廃棄に際しては、キャップ本体の外側に位置する環状体を抜き取ることでキャップ本体の口頚部に対する嵌合力を低下させることできるため、簡単に取り外すことができる。
【００１１】
蓋体を閉じるとともにキャップ本体の環状溝を容器の口頚部先端に位置せしめ、さらに、口頚部の基端に向けた押圧力を付与して該環状溝を前記容器の口頚部先端に嵌合させると同時に環状体を前記キャップ本体と同じ向きの押し込むことで注出栓は簡単な作業で確実に固定され、効率的な組み付けが可能となる。
【図面の簡単な説明】
【００１２】
【図１】本発明にしたがう注出栓の実施の形態を断面で示した図（打栓前の状態）である。
【図２】図１に示した注出栓において容器の口頚部に取り付けた状態で示した図である。
【図３】図１に示した注出栓の要部の外観斜視図である。
【図４】本発明にしたがう注出栓の他の実施の形態を断面で示した図である。
【発明を実施するための形態】
【００１３】
以下、図面を参照して本発明をより具体的に説明する。
図１、２は、本発明にしたがう注出栓の実施の形態を側面について示した図であり、図１は、打栓前の状態を示した図であり、図２は、打栓して蓋体を閉じた状態を示した図である（容器の口頚部は図示せず。）。
【００１４】
図における符号１は、ベースキャップである。このベースキャップ１は、容器の口頚部に直接アンダーカット嵌合する筒状のキャップ本体１ａと、このキャップ本体１ａの上縁部に弱化部ｈを介して一体連結し、該キャップ本体１ａの外径とほぼ同等の内径を有する環状体１ｂから構成されている。ここに、弱化部ｈとしては、薄肉の連結片を全周にわたって設けたものでもよいし、薄肉の連結片を間隔をあけて複数個設けたものであってもよい。
【００１５】
キャップ本体１ａは、天壁１ａ１において起立して内容物の注出経路を形成する注出筒１ａ２と、該天壁１ａ１の下面に垂下される同心二重配置の内筒１ａ３、外筒１ａ４からなっており、該内筒１ａ３、外筒１ａ４の相互間には下向きに開放され、打栓により容器の口頚部を嵌入させる環状溝ｍが形成されている。
【００１６】
２は、外筒１ａ４の外側面の上部に設けられた周溝（局所的に設けた凹所でもよい。）、３は、環状体１ｂの内側面の上部に設けられた周溝２に適合する凸部（環状のものや突起を複数個位置したものであってもよい。）、４は、ベースキャップ１の注出経路を封止する蓋体である。蓋体４は、下端面がベースキャップ１の上端面に合わさる周壁４ａと、この周壁４ａの上部に一体連結する天板４ｂから構成されており、ヒンジ４ｃを介して外筒１ａ４の上縁部に開閉可能に一体連結しており、蓋体４の閉姿勢で天板４ｂの下面に設けられた垂下筒４ｄの下端が注出筒１ａ２の内側に当接して注出経路を封止する。
【００１７】
５は、注出筒１ａ２の内側に弱化部ｈ１を介して一体連結した密封障壁、６は密封障壁５の縁部に設けられた支柱、７は支柱６の上端に設けられたプルリングである。このプルリング７を引っ張ることにより密封障壁５は、弱化部ｈ１に沿って引きちぎられ、該密封障壁５の引きちぎりの完了によって例えば円形状の如き注出経路が形成される。さらに、８は、キャップ本体１ａの外筒１ａ４の少なくとも下側半分に設けられた複数本のスリットである。このスリット８は、図３に示すように、口頚部の軸心に沿って上下方向に伸延し、下端部が該外筒１ａ４の下端にまで達していて開放状態になっている。
【００１８】
本発明にしたがう注出栓は、基本的には一つの部材から構成されるものであり、容器の口頚部に装着する前の段階では、図１に示すような状態にある。かかる注出栓を容器の口頚部に装着すべく、打栓するに当たっては、まず、蓋体４を閉じるとともにキャップ本体１ａの環状溝ｍを容器の口頚部先端に位置せしめ、次いで、該口頚部の基端に向けた押圧力を付与して環状溝ｍを容器の口頚部先端に嵌合させると同時に環状体１ｂをキャップ本体１ａと同じ向きに押し込めばよい。これにより、弱化部ｈが切断されて該環状体１ｂが口頚部の基端へ向けてスライドしていき、図２に示すように、キャップ本体１ａの外側面に嵌合する。環状体１ｂの凸部３が、内筒１ａ４の外側面の上部に設けられた周溝２に適合すると環状体１ｂがキャップ本体１ａの径方向における拡がりを抑制する箍として機能することとなりキャップ本体１ａが容器の口頚部に強固に固定されることになる。
【００１９】
環状体１ｂは周溝２と凸部３によって係合、位置決めされた状態にあるが、該環状体１ｂはさほどの厚を有しない（箍として機能させることができる最低限の厚さに設定される。）もので構成することができるので比較的容易に変形が可能であり、使用済みの容器を廃棄するに際しては例えば、蓋体４を摘み片として環状体１ｂをキャップ本体１ａから引抜くことでキャップ本体１ａの、口頚部に対する嵌合力が低下することとなり、注出栓を比較的簡単に取り外すことができる。
【００２０】
キャップ本体１ａの外筒１ａ４の少なくとも下側半分に図３に示すような複数本のスリット８を設けておくことにより、キャップ本体１ａの、口頚部に対する嵌合力を低下させて注出栓の取り付け、取り外しを行い易くすることができるが、その部位を局所的に薄肉にするかあるいは全周にわたって薄肉にしておくことにより同様の効果が期待できる。
【００２１】
本発明にしたがう注出栓は、合成樹脂を原材料として射出成形法を適用して成形することが可能であり、キャップ本体１ａと環状体１bとは例えば、二色成形により軟質材と硬質材等、異なる種類の材料で構成し得る。これにより、耐熱用や非耐熱用等用途に応じて材質を選定して二色成形することが可能となる。また、打栓を行うに当たっては、蓋体４を閉じた状態で行う。
【００２２】
環状体１ｂの押し込みに際しては、凸部３が周溝２に適合することにより嵌合、位置決めがなされるけれども、環状体１ｂの押し込み力が大きい場合には、その下端が口頚部の基端に形成されるネックリングに突き当たることも懸念されるので、キャップ本体１ａの下端に突起を設けておき、環状体１ｂがスライドするとき該突起に環状体１ｂの下端に突き当たって位置決めするようにしてもよい。
【００２３】
図４は、本発明にしたがう注出栓の他の実施の形態を示した図である。環状体１ｂの内側面の下端にその周りに沿って複数個の凸部９を設けるか、あるいは環状の凸部９を設け、キャップ本体１ａの下端部に該凸部９に連係する凹部１０を設けて環状体１ｂの、キャップ本体１ａに対する位置決めを行うようにしてもよく、かかる構造においては、キャップ本体１ａの上部に引っ掛り代がｔとなる段部１１を形成しておくことで該段部１１を環状体１ｂの抜け止めストッパーとして機能させるこが可能であり、段部１１から凹部１０に至るまで間で環状体１ｂの内側面とキャップ本体１ａの外側面との間にわずかな隙間ｔ´が形成されることから、容器の廃棄に際して環状体１ｂをより取り外し易くなる利点がある。
【００２４】
本発明においては、プルリング７を引っ張ることにより密封障壁５を引きちぎって注出経路を形成するものを例として示したが、不正な開封を防止できるものであれば、図示のものには限定されない。
【産業上の利用可能性】
【００２５】
容器の口頚部において確実に固定することができ、容器の廃棄に際しては簡便に取り外し可能な注出栓及びその注出栓の打栓、装着方法が提供できる。
【符号の説明】
【００２６】
１      ベースキャップ
１ａ    キャップ本体
１ｂ    環状体
２      周溝
３      凸部
４      蓋体
４ａ    周壁
４ｂ    天板
４ｃ    ヒンジ
４ｄ    垂下筒
５      密封障壁
６      支柱
７      プルリング
８      スリット
９      凸部
１０    凹部
１１    段部
ｍ      環状溝
ｔ      引っ掛り代
ｔ′    隙間
【図１】
0005467945.tif 000002
【図２】
0005467945.tif 000003
【図３】
0005467945.tif 000004
【図４】
0005467945.tif 000005